(57)【要約】【課題】初期化工程に伴って排液小分けチャンバに空気が混入することを抑制可能な血液浄化装置を提供する。【解決手段】排液小分けチャンバＫ３と、第１排液排出ラインＬ３ａと、第２排液排出ラインＬ３ｂと、排液小分けチャンバＫ３が貯留する排液を装置外部に排出する排出部Ｐ７と、排液小分けチャンバＫ３が貯留する排液の残量を検出する残量検出部と、残量検出部の検出結果に基づいて、排液小分けチャンバＫ３の排液量が基準の残存量に到達したか否かを判定する判定部５と、排出部Ｐ７を制御する制御部６と、を備え、制御部６は、排液小分けチャンバＫ３が貯留する排液を装置外部に排出する排出工程を実行し、排液小分けチャンバＫ３の排液量が基準の残存量に到達したと判定部５が判定するとき、排出工程を終了する。【選択図】図１
2020074988.tif 000002
【特許請求の範囲】
【請求項１】
患者の血液を浄化する血液浄化器から排出される排液を貯留する排液小分けチャンバと、
前記排液を前記排液小分けチャンバに流通させる第１排液排出ラインと、
前記排液小分けチャンバが貯留する排液を装置外部に排出させる第２排液排出ラインと、
前記第２排液排出ラインに配設され、前記排液小分けチャンバが貯留する排液を装置外部に排出する排出部と、
前記排液小分けチャンバが貯留する排液の残量を検出する残量検出部と、
前記残量検出部の検出結果に基づいて、前記排液小分けチャンバの排液量が基準の残存量に到達したか否かを判定する判定部と、
前記排出部を制御する制御部と、を備え、
前記制御部は、前記排出部を制御することによって、前記排液小分けチャンバが貯留する排液を装置外部に排出する排出工程を実行し、前記排液小分けチャンバの排液量が前記基準の残存量に到達したと前記判定部が判定するとき、前記排出工程を終了する血液浄化装置。
【請求項２】
前記制御部は、前記排液小分けチャンバが貯留する排液量を前記残量検出部によって監視する監視工程を更に実行し、前記排液小分けチャンバの排液量が前記基準の残存量に到達したと前記判定部が判定するとき、前記排出工程から前記監視工程に移行する請求項１に記載の血液浄化装置。
【請求項３】
前記制御部は、前記排出工程と前記監視工程を交互に繰り返す請求項１又は請求項２に記載の血液浄化装置。
【請求項４】
前記血液浄化器に供給する透析液、又は、前記血液浄化器を介して患者の血液が循環される血液回路に供給する補充液を供給液として収容する供給液収容部と、
前記供給液収容部が収容する供給液を貯留する供給液小分けチャンバと、
前記供給液収容部が収容する供給液を前記供給液小分けチャンバに流通させる供給液導入ラインと、を更に備え、
前記残量検出部は、前記供給液小分けチャンバ及び前記排液小分けチャンバの総重量を計測する重量計を備え、
前記排出工程は、前記排液小分けチャンバが貯留する排液を前記基準の残存量まで排出する一方で、前記供給液小分けチャンバが貯留する供給液を基準の充填量まで充填することによって、前記排液小分けチャンバ及び前記供給液小分けチャンバの排液量及び供給液量を初期化する初期化工程であり、
前記判定部は、前記初期化工程において、前記供給液小分けチャンバに対して前記供給液量の充填が停止している状態で、前記重量計の計測結果に基づいて、前記排液小分けチャンバの排液量が前記基準の残存量に到達したか否かを判定する請求項１〜３の何れかに記載の血液浄化装置。
【請求項５】
前記残量検出部は、前記供給液小分けチャンバが貯留する供給液の液面を検知する液面センサを更に備え、
前記判定部は、前記初期化工程において、前記液面センサの検知結果に基づいて、前記供給液小分けチャンバの供給液が前記基準の充填量に到達したか否かを判定し、
前記制御部は、前記初期化工程において、前記供給液小分けチャンバの供給液が前記基準の充填量に到達したと前記判定部が判定するとき、前記供給液小分けチャンバに対して前記供給液量の充填処理を停止する請求項４記載の血液浄化装置。
【請求項６】
前記血液浄化器に供給する透析液、又は、前記血液浄化器を介して患者の血液が循環される血液回路に供給する補充液を供給液として収容する供給液収容部と、
前記供給液収容部が収容する供給液を貯留する供給液小分けチャンバと、
前記供給液収容部が収容する供給液を前記供給液小分けチャンバに流通させる供給液導入ラインと、を更に備え、
前記残量検出部は、前記供給液小分けチャンバ及び前記排液小分けチャンバの総重量を計測する重量計を備え、
前記排出工程は、前記排液小分けチャンバが貯留する排液を前記基準の残存量まで排出する一方で、前記供給液小分けチャンバが貯留する供給液を基準の充填量まで充填することによって、前記排液小分けチャンバ及び前記供給液小分けチャンバの排液量及び供給液量を初期化する初期化工程であり、
前記判定部は、前記初期化工程において、前記供給液小分けチャンバの供給液が一定量に維持されているときに、前記重量計の計測結果に基づいて、前記排液小分けチャンバの排液量が前記基準の残存量に到達したか否かを判定する請求項１〜３の何れかに記載の血液浄化装置。
【請求項７】
前記排出部は、前記排液小分けチャンバが貯留する排液を移送することによって装置外部に排出する排液移送ポンプである請求項１〜６の何れかに記載の血液浄化装置。
【請求項８】
前記第１排液排出ラインに配設され、前記血液浄化器から前記排液小分けチャンバに透析液を送液する排液排出ポンプを更に備え、
前記排出部は、前記排液小分けチャンバが貯留する排液を移送することによって装置外部に排出する排液移送ポンプであり、
前記制御部は、前記排出工程において、前記排液移送ポンプによる流量の積算値が、前回実行された前記監視工程における前記排液排出ポンプによる流量の積算値に到達するとき、前記監視工程に移行する請求項３記載の血液浄化装置。
【請求項９】
前記排液移送ポンプは、排液の流路を構成する可撓性チューブをしごいて送液するしごき型ポンプである請求項７に記載の血液浄化装置。
【請求項１０】
前記排出部は、前記排液小分けチャンバの下部から延設された前記第２排液排出ラインに配設されたことを特徴とする請求項１〜９の何れかに記載の血液浄化装置。
【発明の詳細な説明】
【技術分野】
【０００１】
本発明は、患者の血液を体外循環させつつ浄化するための血液浄化装置に関するものである。
【背景技術】
【０００２】
一般に、透析治療を行うための血液浄化装置は、患者の血液を体外循環させるための血液回路を構成する動脈側血液回路及び静脈側血液回路と、血液回路にて体外循環する血液を浄化するための血液浄化手段と、血液回路及び血液浄化手段にて血液浄化治療させるための血液ポンプ等の種々の治療手段が配設された装置本体とを具備している。動脈側血液回路及び静脈側血液回路の先端には、それぞれバスキュラーアクセスカテーテル、或いは穿刺針（動脈側穿刺針及び静脈側穿刺針）が取り付け可能とされる。
【０００３】
そして、例えば動脈側穿刺針及び静脈側穿刺針を患者に穿刺した後、血液ポンプを駆動させることにより、患者の血液が動脈側血液回路及び静脈側血液回路を流動することとなり、その流動過程において血液浄化手段にて血液浄化されるようになっている。また、透析治療においては、血液浄化手段に透析液を導入するための透析液導入ラインと、血液浄化手段から排液を排出するための排液排出ラインとがそれぞれ血液浄化手段に接続されている。
【０００４】
ところで、血液浄化治療においては、血液浄化器の透析液流路に透析液を流通させることにより、血液浄化膜を介して血液中の物質を拡散作用によって除去する血液透析治療（ＨＤ）、血液浄化器において限外濾過圧の作用によって血液中の水分及び物質を除去し、除去した水分と同量の補充液を血液中に注入する血液濾過治療（ＨＦ）、血液透析治療（ＨＤ）及び血液濾過治療（ＨＦ）を同時に行う血液透析濾過（ＨＤＦ）なる治療法が確立されており、特に急性腎不全等の疾患を有する患者に対して血液浄化治療を行う場合、その患者の容態に合わせて、血液透析（ＨＤ）、血液濾過（ＨＦ）及び血液透析濾過（ＨＤＦ）を一治療過程で切り替えて行うこと必要がある。
【０００５】
このようなニーズに応えるべく、従来、排液小分けチャンバに貯留された排液を排出する初期化工程と、排液小分けチャンバに貯留された排液の重量を重量計で計測する監視工程とを実行していた。このように、初期化工程を経ることにより、排液小分けチャンバから排液が溢れてしまうのを回避することができる。なお、かかる先行技術は、文献公知発明に係るものでないため、記載すべき先行技術文献情報はない。
【発明の概要】
【発明が解決しようとする課題】
【０００６】
上記従来の血液浄化装置においては、初期化工程において、排液小分けチャンバの排液全てが排出されるため、排液小分けチャンバが排液を新たに貯留する際に、空気が混入し易くなる。そのため、監視工程において、排液小分けチャンバの排液の重量を精度良く計測することが難しくなる。
【０００７】
本発明は、このような事情に鑑みてなされたもので、初期化工程に伴って排液小分けチャンバに空気が混入することを抑制可能な血液浄化装置を提供することにある。
【課題を解決するための手段】
【０００８】
請求項１記載の発明は、患者の血液を浄化する血液浄化器から排出される排液を貯留する排液小分けチャンバと、前記排液を前記排液小分けチャンバに流通させる第１排液排出ラインと、前記排液小分けチャンバが貯留する排液を装置外部に排出させる第２排液排出ラインと、前記第２排液排出ラインに配設され、前記排液小分けチャンバが貯留する排液を装置外部に排出する排出部と、前記排液小分けチャンバが貯留する排液の残量を検出する残量検出部と、前記残量検出部の検出結果に基づいて、前記排液小分けチャンバの排液量が基準の残存量に到達したか否かを判定する判定部と、前記排出部を制御する制御部と、を備え、前記制御部は、前記排出部を制御することによって、前記排液小分けチャンバが貯留する排液を装置外部に排出する排出工程を実行し、前記排液小分けチャンバの排液量が前記基準の残存量に到達したと前記判定部が判定するとき、前記排出工程を終了する。
【０００９】
請求項２記載の発明は、請求項１記載の血液浄化装置において、前記制御部は、前記排液小分けチャンバが貯留する排液量を前記残量検出部によって監視する監視工程を更に実行し、前記排液小分けチャンバの排液量が前記基準の残存量に到達したと前記判定部が判定するとき、前記排出工程から前記監視工程に移行する。
【００１０】
請求項３記載の発明は、請求項１又は請求項２記載の血液浄化装置において、前記制御部は、前記排出工程と前記監視工程を交互に繰り返す。
【００１１】
請求項４記載の発明は、請求項１〜３の何れかに記載の血液浄化装置において、前記血液浄化器に供給する透析液、又は、前記血液浄化器を介して患者の血液が循環される血液回路に供給する補充液を供給液として収容する供給液収容部と、前記供給液収容部が収容する供給液を貯留する供給液小分けチャンバと、前記供給液収容部が収容する供給液を前記供給液小分けチャンバに流通させる供給液導入ラインと、を更に備え、前記残量検出部は、前記供給液小分けチャンバ及び前記排液小分けチャンバの総重量を計測する重量計を備え、前記排出工程は、前記排液小分けチャンバが貯留する排液を前記基準の残存量まで排出する一方で、前記供給液小分けチャンバが貯留する供給液を基準の充填量まで充填することによって、前記排液小分けチャンバ及び前記供給液小分けチャンバの排液量及び供給液量を初期化する初期化工程であり、前記判定部は、前記初期化工程において、前記供給液小分けチャンバに対して前記供給液量の充填が停止している状態で、前記重量計の計測結果に基づいて、前記排液小分けチャンバの排液量が前記基準の残存量に到達したか否かを判定する。
【００１２】
請求項５記載の発明は、請求項４記載の血液浄化装置において、前記残量検出部は、前記供給液小分けチャンバが貯留する供給液の液面を検知する液面センサを更に備え、前記判定部は、前記初期化工程において、前記液面センサの検知結果に基づいて、前記供給液小分けチャンバの供給液が前記基準の充填量に到達したか否かを判定し、前記制御部は、前記初期化工程において、前記供給液小分けチャンバの供給液が前記基準の充填量に到達したと前記判定部が判定するとき、前記供給液小分けチャンバに対して前記供給液量の充填処理を停止する。
【００１３】
請求項６記載の発明は、請求項１〜３の何れかに記載の血液浄化装置において、前記血液浄化器に供給する透析液、又は、前記血液浄化器を介して患者の血液が循環される血液回路に供給する補充液を供給液として収容する供給液収容部と、前記供給液収容部が収容する供給液を貯留する供給液小分けチャンバと、前記供給液収容部が収容する供給液を前記供給液小分けチャンバに流通させる供給液導入ラインと、を更に備え、前記残量検出部は、前記供給液小分けチャンバ及び前記排液小分けチャンバの総重量を計測する重量計を備え、前記排出工程は、前記排液小分けチャンバが貯留する排液を前記基準の残存量まで排出する一方で、前記供給液小分けチャンバが貯留する供給液を基準の充填量まで充填することによって、前記排液小分けチャンバ及び前記供給液小分けチャンバの排液量及び供給液量を初期化する初期化工程であり、前記判定部は、前記初期化工程において、前記供給液小分けチャンバの供給液が一定量に維持されているときに、前記重量計の計測結果に基づいて、前記排液小分けチャンバの排液量が前記基準の残存量に到達したか否かを判定する。
【００１４】
請求項７記載の発明は、請求項１〜６の何れかに記載の血液浄化装置において、前記排出部は、前記排液小分けチャンバが貯留する排液を移送することによって装置外部に排出する排液移送ポンプである。
【００１５】
請求項８記載の発明は、請求項３記載の血液浄化装置において、前記第１排液排出ラインに配設され、前記血液浄化器から前記排液小分けチャンバに透析液を送液する排液排出ポンプを更に備え、前記排出部は、前記排液小分けチャンバが貯留する排液を移送することによって装置外部に排出する排液移送ポンプであり、前記制御部は、前記排出工程において、前記排液移送ポンプによる流量の積算値が、前回実行された前記監視工程における前記排液排出ポンプによる流量の積算値に到達するとき、前記監視工程に移行する。
【００１６】
請求項９記載の発明は、請求項７に記載の血液浄化装置において、前記排液移送ポンプは、排液の流路を構成する可撓性チューブをしごいて送液するしごき型ポンプである。
【００１７】
請求項１０記載の発明は、請求項１〜９の何れかに記載の血液浄化装置において、前記排出部は、前記排液小分けチャンバの下部から延設された前記第２排液排出ラインに配設されたことを特徴とする。
【発明の効果】
【００１８】
請求項１の発明によれば、排出部を制御することによって、排液小分けチャンバが貯留する排液を装置外部に排出する排出工程を実行し、排液小分けチャンバの排液量が基準の残存量に到達したと判定部が判定するとき、排出工程を終了するので、初期化工程に伴って排液小分けチャンバに空気が混入することを抑制できる。
【００１９】
請求項２の発明によれば、排液小分けチャンバが貯留する排液量を残量検出部によって監視する監視工程を更に実行し、排液小分けチャンバの排液量が基準の残存量に到達したと判定部が判定するとき、排出工程から監視工程に移行するので、初期化工程から監視工程に円滑に移行することができる。
【００２０】
請求項３の発明によれば、制御部は、初期化工程と監視工程を交互に繰り返すので、初期化工程と監視工程とを円滑に繰り返すことができる。
【００２１】
請求項４の発明によれば、血液浄化器に供給する透析液、又は、血液浄化器を介して患者の血液が循環される血液回路に供給する補充液を供給液として収容する供給液収容部と、供給液収容部が収容する供給液を貯留する供給液小分けチャンバと、供給液収容部が収容する供給液を供給液小分けチャンバに流通させる供給液導入ラインと、を更に備え、残量検出部は、供給液小分けチャンバ及び排液小分けチャンバの総重量を計測する重量計を備え、排出工程は、排液小分けチャンバが貯留する排液を基準の残存量まで排出する一方で、供給液小分けチャンバが貯留する供給液を基準の充填量まで充填することによって、排液小分けチャンバ及び供給液小分けチャンバの排液量及び供給液量を初期化する初期化工程であり、判定部は、初期化工程において、供給液小分けチャンバに対して供給液量の充填が停止している状態で、重量計の計測結果に基づいて、排液小分けチャンバの排液量が基準の残存量に到達したか否かを判定するので、初期化工程時、排液小分けチャンバが初期化状態となったことを正確に把握することができる。
【００２２】
請求項５の発明によれば、残量検出部は、供給液小分けチャンバが貯留する供給液の液面を検知する液面センサを更に備え、判定部は、初期化工程において、液面センサの検知結果に基づいて、供給液小分けチャンバの供給液が基準の充填量に到達したか否かを判定し、制御部は、初期化工程において、供給液小分けチャンバの供給液が基準の充填量に到達したと判定部が判定するとき、供給液小分けチャンバに対して供給液量の充填処理を停止するので、初期化工程時、透析液小分けチャンバ及び補充液小分けチャンバの満タン状態を正確に把握することができ、且つ、排液小分けチャンバが初期化状態となったことを正確に把握することができる。
【００２３】
請求項６の発明によれば、判定部は、初期化工程において、供給液小分けチャンバの供給液が一定量に維持されているときに、重量計の計測結果に基づいて、排液小分けチャンバの排液量が基準の残存量に到達したか否かを判定するので、供給液小分けチャンバに対して、供給液の流入量と流出量を同程度とすることで、供給液小分けチャンバの液位（液量）を一定に保つことができる。これにより、供給液小分けチャンバ及び排液小分けチャンバの総重量を計測する重量計であっても、供給液小分けチャンバの重量変動要因を除き、排液小分けチャンバの残存量を把握することができる。
【００２４】
請求項７の発明によれば、排出部は、排液小分けチャンバが貯留する排液を移送することによって装置外部に排出する排液移送ポンプであるので、初期化工程における排液小分けチャンバからの排液の排出を円滑に行わせることができるとともに、排液移送ポンプの流量を制御することにより、排液の排出に要する時間を任意に調整することができる。
【００２５】
請求項８の発明によれば、第１排液排出ラインに配設され、血液浄化器から排液小分けチャンバに透析液を送液する排液排出ポンプを更に備え、排出部は、排液小分けチャンバが貯留する排液を移送することによって装置外部に排出する排液移送ポンプであり、制御部は、排出工程において、排液移送ポンプによる流量の積算値が、前回実行された監視工程における排液排出ポンプによる流量の積算値に到達するとき、監視工程に移行するので、重量による条件と併せて、より精度よく排液小分けチャンバが初期化状態となったことを把握することができる。
【００２６】
請求項９の発明によれば、排液移送ポンプは、排液の流路を構成する可撓性チューブをしごいて送液するしごき型ポンプであるので、別個のクランプ手段等を要することなく排液移送ポンプにて第２排液排出ラインの閉止を行わせることができる。
【００２７】
請求項１０の発明によれば、排出部は、排液小分けチャンバの下部から延設された第２排液排出ラインに配設されたので、排液小分けチャンバの上部から別個の流路を延設させ、その流路に排液移送ポンプを配設したものに比べ、計測部の計測誤差を軽減させることができる。
【図面の簡単な説明】
【００２８】
【図１】本発明の実施形態に係る血液浄化装置を示す模式図
【図２】同血液浄化装置の外観（小分けチャンバを取り付ける前）を示す正面図
【図３】同血液浄化装置における小分けチャンバを示す正面図
【図４】同小分けチャンバを示す斜視図
【図５】同血液浄化装置における小分けチャンバを取り付けるための取付部を示す正面図及び側面図
【図６】同血液浄化装置における制御部の制御内容（初期化工程）を示すフローチャート
【図７】同血液浄化装置におけるポンプの駆動タイミングを示すタイミングチャート
【図８】同血液浄化装置における制御部の制御内容（監視工程）を示すフローチャート
【図９】本発明の他の実施形態（排液小分けチャンバに接続される流路が１つ）に係る血液浄化装置を示す模式図
【図１０】本発明の他の実施形態（排出部が電磁弁）に係る血液浄化装置を示す模式図
【図１１】本発明の他の実施形態に係る血液浄化装置の制御内容を示すフローチャート
【図１２】本発明の他の実施形態に係る血液浄化装置の制御内容を示すフローチャート
【発明を実施するための形態】
【００２９】
以下、本発明の実施形態について図面を参照しながら具体的に説明する。
本実施形態に係る血液浄化装置は、患者の血液を体外循環させつつ浄化するための血液透析装置に適用されたもので、図１〜３に示すように、動脈側血液回路１ａ及び静脈側血液回路１ｂを有する血液回路１と、動脈側血液回路１ａ及び静脈側血液回路１ｂの間に介装されて血液回路１を流れる血液を浄化するダイアライザ２（血液浄化器）と、第１透析液導入ラインＬ１ａ及び第２透析液導入ラインＬ１ｂと、第１補液ラインＬ２ａ、第２補液ラインＬ２ｂと、前補液ラインＬ２ｃ及び後補液ラインＬ２ｄと、第１排液排出ラインＬ３ａ及び第２排液排出ラインＬ３ｂと、血液ポンプＰ１と、透析液導入ポンプＰ２と、第１補液ポンプＰ３と、排液排出ポンプＰ４と、透析液移送ポンプＰ５と、補液移送ポンプＰ６と、排液移送ポンプＰ７と、第２補液ポンプＰ８と、補充液小分けチャンバＫ１、透析液小分けチャンバＫ２及び排液小分けチャンバＫ３を取り付け可能な取付部Ｄと、重量計４と、判定部５と、制御部６と、第１加温器Ｈ１及び第２加温器Ｈ２とを具備して構成されている。
【００３０】
また、ダイアライザ２に供給する透析液及び血液回路１に供給する補充液は、本発明の供給液であり、透析液収容バッグＢ１及び補液収容バッグＢ２は、供給液を収容する供給液収容部である。さらに、補充液小分けチャンバＫ１及び透析液小分けチャンバＫ２は、本発明の供給液小分けチャンバ、重量計４及び液面センサ（Ｓ１、Ｓ２）は、本発明の計測部（残量検出部）、第１透析液導入ラインＬ１ａは、本発明の供給液導入ラインであるる。なお、図中符号Ｐａ、Ｐｂは、圧力センサを示している。また、本実施形態に係る血液ポンプＰ１、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８は、流路を構成する可撓性チューブをしごいて送液するしごき型ポンプにて構成されている。
【００３１】
動脈側血液回路１ａ及び静脈側血液回路１ｂには、それぞれの先端にコネクタが接続されており、当該コネクタを介して動脈側穿刺針及び静脈側穿刺針（不図示）が接続可能とされている。そして、動脈側血液回路１ａの先端に接続された動脈側穿刺針及び静脈側血液回路１ｂの先端に接続された静脈側穿刺針を患者に穿刺した状態で、血液ポンプＰ１を駆動させると、血液回路１にて患者の血液を体外循環させ得るようになっている。
【００３２】
すなわち、動脈側穿刺針及び静脈側穿刺針を患者に穿刺した状態において、血液ポンプＰ１を駆動させると、患者の血液は、動脈側血液回路１ａを通ってダイアライザ２に至り、ダイアライザ２によって血液浄化が施された後、静脈側血液回路１ｂを通って患者の体内に戻るようになっている。なお、本明細書においては、血液を脱血（採血）する穿刺針の側を「動脈側」と称し、血液を返血する穿刺針の側を「静脈側」と称しており、「動脈側」及び「静脈側」とは、穿刺の対象となる血管が動脈及び静脈の何れかによって定義されるものではない。
【００３３】
また、静脈側血液回路１ｂの途中には、エアトラップチャンバ３が接続されており、血液回路１にて体外循環する血液は、当該エアトラップチャンバ３にて気泡が取り除かれた後、患者に戻ることとなる。なお、動脈側穿刺針及び静脈側穿刺針を患者の血管に穿刺する形態に代えて、ダブルルーメンカテーテルを患者の鎖骨下静脈或いは大腿静脈に挿入、或いは患者の腕の血管に挿入する等の形態であってもよい。
【００３４】
ダイアライザ２は、血液を導入可能な血液導入ポート２ａと、血液を導出可能な血液導出ポート２ｂと、透析液を導入可能な透析液導入ポート２ｃと、透析液を導出可能な透析液導出ポート２ｄと、血液導入ポート２ａ及び血液導出ポート２ｂに亘って延設されて血液を流通可能な血液流路（不図示）と、透析液導入ポート２ｃ及び透析液導出ポート２ｄに亘って延設されて透析液を流通可能な透析液流路（不図示）と、血液流路と透析液流路との間に介在して当該血液流路を流通する血液を浄化し得る血液浄化膜（不図示）とを有している。
【００３５】
より具体的には、ダイアライザ２は、その筐体部に、血液導入ポート２ａ、血液導出ポート２ｂ、透析液導入ポート２ｃ及び透析液導出ポート２ｄが突出形成されており、このうち血液導入ポート２ａには動脈側血液回路１ａが、血液導出ポート２ｂには静脈側血液回路１ｂがそれぞれ接続されるとともに、透析液導入ポート２ｃには第２透析液導入ラインＬ１ｂが、透析液導出ポート２ｄには第１排液排出ラインＬ３ａがそれぞれ接続されるようになっている。さらに、効率的な透析治療を行わせるために、血液の入り口である血液導入ポート２ａと透析液の入り口である透析液導入ポート２ｃの上下方向の位置関係が逆になっており、血液流路にて流通する血液と対向する向きに透析液が流通するよう構成されている。
【００３６】
また、ダイアライザ２内には、複数の中空糸膜が収容されており、この中空糸が血液を浄化するための血液浄化膜を構成している。すなわち、中空糸を構成する血液浄化膜の内部が血液流路とされるとともに、筐体と中空糸との間の空間が透析液流路とされているのである。そして、血液浄化膜は、中空糸膜を形成しており、その外周面と内周面とを貫通した微小な孔（ポア）が多数形成され、当該中空糸該膜を介して血液流路を流通する血液中の不純物等が透析液流路を流通する透析液内に透過（濾過）し得るよう構成されている。
【００３７】
第１透析液導入ラインＬ１ａは、透析液収容バッグＢ１（透析液収容部）に収容された透析液を透析液小分けチャンバＫ２に流通させる可撓性チューブから成り、一端が透析液収容バッグＢ１（透析液収容部）の下部に接続されるとともに、他端が透析液小分けチャンバＫ２の下部に接続されている。透析液収容バッグＢ１は、ダイアライザ２に供給する透析液を所定容量収容したもので、図２、３に示すように、装置本体に取り付けられた支持部Ｑにて所定高さの位置で支持されている。透析液小分けチャンバＫ２は、透析液収容バッグＢ１（透析液収容部）の透析液を貯留するもので、透析液収容バッグＢ１より小さい容量の容器から成るものである。
【００３８】
また、第１透析液導入ラインＬ１ａには、透析液の流路を構成する可撓性チューブをしごいて送液するしごき型ポンプから成る透析液移送ポンプＰ５が配設されている。しかして、透析液移送ポンプＰ５は、駆動によってロータが回転し、ローラが可撓性チューブを長手方向にしごくことにより、透析液収容バッグＢ１に収容された透析液を透析液小分けチャンバＫ２に送液して貯留させ得るようになっている。
【００３９】
第２透析液導入ラインＬ１ｂは、透析液小分けチャンバＫ２に貯留された透析液をダイアライザ２に流通させる可撓性チューブから成り、一端が透析液小分けチャンバＫ２の下部に接続されるとともに、他端がダイアライザ２の透析液導入ポート２ｃに接続されている。また、第２透析液導入ラインＬ１ｂには、透析液の流路を構成する可撓性チューブをしごいて送液するしごき型ポンプから成る透析液導入ポンプＰ２が配設されている。しかして、透析液導入ポンプＰ２は、駆動によってロータが回転し、ローラが可撓性チューブを長手方向にしごくことにより、透析液小分けチャンバＫ２に貯留された透析液をダイアライザ２に送液して導入させ得るようになっている。
【００４０】
さらに、本実施形態に係る第２透析液導入ラインＬ１ｂには、透析液を加温するための加温器Ｈ１が取り付けられている。かかる加温器Ｈ１は、透析液小分けチャンバＫ２からダイアライザ２に導入される透析液を加温し得るヒータから成るもので、加温バッグ７を取り付け可能とされている。この加温バッグ７は、例えば可撓性のシートを２枚重ねて溶着することによって流路６ａが形成されるとともに、当該流路６ａの一端側及び他端側に第２透析液導入ラインＬ１ｂと接続可能な接続部６ｂ、６ｃを有して構成されている。
【００４１】
第１補液ラインＬ２ａは、補充液収容バッグＢ２（補充液収容部）に収容された補充液を補充液小分けチャンバＫ１に流通させる可撓性チューブから成り、一端が補充液収容バッグＢ２（補充液収容部）の下部に接続されるとともに、他端が補充液小分けチャンバＫ１の下部に接続されている。補充液収容バッグＢ２は、血液回路１に供給する補充液を所定容量収容したもので、図２、３に示すように、装置本体に取り付けられた支持部Ｑにて所定高さの位置で支持されている。補充液小分けチャンバＫ１は、補充液収容バッグＢ２（補充液収容部）の補充液を貯留するもので、補充液収容バッグＢ２より小さい容量の容器から成るものである。
【００４２】
また、第１補液ラインＬ２ａには、補充液の流路を構成する可撓性チューブをしごいて送液するしごき型ポンプから成る補液移送ポンプＰ６が配設されている。しかして、補液移送ポンプＰ６は、駆動によってロータが回転し、ローラが可撓性チューブを長手方向にしごくことにより、補充液収容バッグＢ２に収容された補充液を補充液小分けチャンバＫ１に送液して貯留させ得るようになっている。
【００４３】
第２補液ラインＬ２ｂは、補充液小分けチャンバＫ１に貯留された補充液を前補液ラインＬ２ｃ又は後補液ラインＬ２ｄを介して血液回路１に流通させる可撓性チューブから成り、一端が補充液小分けチャンバＫ１の下部に接続されるとともに、他端が前補液ラインＬ２ｃ及び後補液ラインＬ２ｄに接続されている。また、第２補液ラインＬ２ｂには、補充液の流路を構成する可撓性チューブをしごいて送液するしごき型ポンプから成る第１補液ポンプＰ３が配設されている。かかる第１補液ポンプＰ３は、駆動によってロータが回転し、ローラが可撓性チューブを長手方向にしごくことにより、補充液小分けチャンバＫ１に貯留された補充液を前補液ラインＬ２ｃを介して動脈側血液回路１ａ、又は後補液ラインＬ２ｄを介して静脈側血液回路１ｂに送液して補液し得るものである。
【００４４】
さらに、本実施形態に係る第２補液ラインＬ２ｂには、補充液を加温するための加温器Ｈ２が取り付けられている。かかる加温器Ｈ２は、補充液小分けチャンバＫ１から血液回路１に導入される補充液を加温し得るヒータから成るもので、加温バッグ７を取り付け可能とされている。この加温バッグ７は、例えば可撓性のシートを２枚重ねて溶着することによって流路６ａが形成されるとともに、当該流路６ａの一端側及び他端側に第２補液ラインＬ２ｂと接続可能な接続部６ｂ、６ｃを有して構成されている。
【００４５】
またさらに、第２補液ラインＬ２ｂにおける加温器Ｈ２と動脈側血液回路１ａ又は静脈側血液回路１ｂとの間には、補充液中の気泡を捕捉し得るエアトラップチャンバ８が取り付けられている。しかして、加温器Ｈ２で加温された補充液中の気泡は、エアトラップチャンバ８にて捕捉されるので、血液回路１に流れてしまうのを防止することができる。また、エアトラップチャンバ８の上部には、圧力センサＰｂが取り付けられた連結ラインＬ４が接続されており、エアトラップチャンバ８内の空気層を介して第２補液ラインＬ２ｂを流通する補充液の液圧を検出し得るようになっている。なお、連結ラインＬ４には、エアフィルタＦ４が接続されている。
【００４６】
前補液ラインＬ２ｃは、動脈側血液回路１ａに補充液を導入して前補液するための流路から成り、一端が第２補液ラインＬ２ｂに接続されるとともに、他端が動脈側血液回路１ａにおける血液ポンプＰ１とダイアライザ２との間に接続されている。そして、第１補液ポンプＰ３が駆動して補充液小分けチャンバＫ１から第２補液ラインＬ２ｂにて補充液が送液されると、その補充液が前補液ラインＬ２ｃを介して動脈側血液回路１ａに導入されるようになっている。
【００４７】
後補液ラインＬ２ｄは、静脈血液回路１ｂに補充液を導入して後補液するための流路から成り、一端が第２補液ラインＬ２ｂに接続されるとともに、他端が静脈側血液回路１ｂにおけるエアトラップチャンバ３との間に接続されている。そして、第１補液ポンプＰ３が駆動して補充液小分けチャンバＫ１から第２補液ラインＬ２ｂにて補充液が送液されると、その補充液が後補液ラインＬ２ｄを介して静脈側血液回路１ｂに導入されるようになっている。
【００４８】
本実施形態に係る前補液ラインＬ２ｃには、補充液の流路を構成する可撓性チューブをしごいて送液するしごき型ポンプから成る第２補液ポンプＰ８が配設されるとともに、後補液ラインＬ２ｄには、補充液の血液回路１に対する流動を許容しつつ反対側への流動を規制する逆止弁Ｖ１が接続されている。また、本実施形態に係る補液ポンプは、補液ライン（第２補液ラインＬ２ｂ）に配設された第１補液ポンプＰ３と、前補液ラインＬ２ｃ又は後補液ラインＬ２ｄの少なくとも一方（本実施形態においては、前補液ラインＬ２ｃ）に配設された第２補液ポンプＰ８とを有して構成されている。
【００４９】
これにより、第１補液ポンプＰ３と略同一の流動となるように第２補液ポンプＰ８を駆動させることにより、補充液小分けチャンバＫ１の補充液を動脈側血液回路１ａに導入させて前補液することができるとともに、第１補液ポンプＰ３を駆動させつつ第２補液ポンプＰ８を停止させることにより、補充液小分けチャンバＫ１の補充液を静脈側血液回路１ｂに導入させて後補液することができる。また、第２補液ポンプＰ８を第１補液ポンプＰ３よりも低い送液量となるよう駆動させることにより、当該第２補液ポンプＰ８の流量に応じた割合で、動脈側血液回路１ａ及び静脈側血液回路１ｂに補充液を導入させて前後補液することができるようになっている。ここで、制御部６は、第１補液ポンプＰ３及び第２補液ポンプＰ８の送液量の比率を変更するように第１補液ポンプＰ３及び第２補液ポンプＰ８を制御することによって、前捕液量及び後捕液量の比率を変更可能である。
【００５０】
さらに、後補液ラインＬ２ｄには、逆止弁Ｖ１が接続されているので、第１補液ポンプＰ３と第２補液ポンプＰ８との間の流路に陰圧が生じた場合であっても、血液回路１内の血液が後補液ラインＬ２ｄに吸入されてしまうのを防止することができる。なお、第２補液ポンプＰ８の送液量が第１補液ポンプＰ３の送液量より大きい場合に、第１補液ポンプＰ３と第２補液ポンプＰ８との間の流路に陰圧が生じる。また、前補液ラインＬ２ｃに逆支弁Ｖ１が接続されるとともに、後補液ラインＬ２ｄに第２補液ポンプＰ８が配設されたもの、或いは前補液ラインＬ２ｃ及び後補液ラインＬ２ｄのそれぞれに第２補液ポンプＰ８が配設されたものとしてもよい。
【００５１】
またさらに、第２補液ラインＬ２ｂ（補液ライン）、前補液ラインＬ２ｃ及び後補液ラインＬ２ｄにおける第１補液ポンプＰ３、第２補液ポンプＰ８及び逆止弁Ｖ１で囲まれた補充液の流路の液圧を検出する圧力センサＰｂを具備するとともに、制御部６は、当該圧力センサＰｂにより検出された液圧に応じて第１補液ポンプＰ３又は第２補液ポンプＰ８の駆動速度を補正するようになっている。
【００５２】
第１排液排出ラインＬ３ａは、ダイアライザ２から排出された排液を排液小分けチャンバＫ３に流通させる可撓性チューブから成り、一端がダイアライザ２の透析液導出ポート２ｄに接続されるとともに、他端が排液小分けチャンバＫ３の下部に接続されている。排液小分けチャンバＫ３は、ダイアライザ２から排出された排液を貯留するもので、透析液小分けチャンバＫ２及び補充液小分けチャンバＫ１と略等しい容量の容器から成るものである。
【００５３】
また、第１排液排出ラインＬ３ａには、排液の流路を構成する可撓性チューブをしごいて送液するしごき型ポンプから成る排液排出ポンプＰ４が配設されている。しかして、排液排出ポンプＰ４は、駆動によってロータが回転し、ローラが可撓性チューブを長手方向にしごくことにより、ダイアライザ２の排液を排液小分けチャンバＫ３に送液して貯留し得るようになっている。
【００５４】
第２排液排出ラインＬ３ｂは、排液小分けチャンバＫ３に貯留された排液を装置外部に排出させる可撓性チューブから成り、一端が排液小分けチャンバＫ３の下部に接続されるとともに、他端が装置外部に取り付けられた処理装置や排液受け等まで延設されている。また、第２排液排出ラインＬ３ｂには、排液の流路を構成する可撓性チューブをしごいて送液するしごき型ポンプから成る排液移送ポンプＰ７が配設されている。かかる排液移送ポンプＰ７（排出部）は、排液小分けチャンバＫ３に貯留された排液を任意タイミングで装置外部に送液して排出させるもポンプから成り、駆動によってロータが回転し、ローラが可撓性チューブを長手方向にしごくことにより、排液小分けチャンバＫ３の排液を装置外部に送液して排出し得るようになっている。
【００５５】
一方、透析液小分けチャンバＫ２、補充液小分けチャンバＫ１及び排液小分けチャンバＫ３は、図３、４に示すように、保持部Ｎに保持されるとともに、後述する取付部Ｄに取り付けられるようになっている。また、透析液小分けチャンバＫ２、補充液小分けチャンバＫ１及び排液小分けチャンバＫ３の各上部は、エアフィルタＦ１〜Ｆ３を介して大気開放されており、貯留した液体が流出すると各小分けチャンバ内に空気が導入されるとともに、液体が流入すると各小分けチャンバから空気が排出されるようになっている。
【００５６】
ここで、本実施形態に係る血液浄化装置は、図２、３に示すように、透析液収容バッグＢ１及び補充液収容バッグＢ２を所定高さで支持する支持部Ｑと、治療に関わる情報等を表示可能なモニタＭと、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８を収容した収容部Ｇと、取付部Ｄとを具備している。
【００５７】
支持部Ｑは、装置本体に取り付けられたポール状部材から成り、所定位置に透析液収容バッグＢ１及び補充液収容バッグＢ２を支持可能な係止部Ｑ１と、高さ変更する際に操作可能なロック部Ｒとを有して構成されている。すなわち、本実施形態に係る支持部Ｑは、長手方向に伸縮可能とされており、透析液収容バッグＢ１及び補充液収容バッグＢ２を支持する高さを任意に調整可能とされているのである。
【００５８】
支持部Ｑに形成されたロック部Ｒは、支持部Ｑの上部と下部とをロック又はロック解除し得るもので、ロック解除された状態において、下部に対して上部をスライドさせることにより、係止部Ｑ１の高さを調整し得るようになっている。そして、係止部Ｑ１の高さを調整した後、ロック部Ｒを操作することにより、支持部Ｑの下部に対して上部がロックされ、係止部に透析液収容バッグＢ１及び補充液収容バッグＢ２を支持させることができるようになっている。
【００５９】
取付部Ｄは、小分けチャンバ（透析液小分けチャンバＫ２、補充液小分けチャンバＫ１及び排液小分けチャンバＫ３）を保持した状態の保持部Ｎを取り付け可能なもので、図５に示すように、背面側に取り付けられた重量計４（荷重センサ）によって、透析液小分けチャンバＫ２、補充液小分けチャンバＫ１及び排液小分けチャンバＫ３の重量を計測するよう構成されている。これにより、透析液小分けチャンバＫ２、補充液小分けチャンバＫ１及び排液小分けチャンバＫ３に貯留された透析液、補充液及び排液の重量バランスをリアルタイムで検出して監視し得るようになっている。
【００６０】
さらに、取付部Ｄには、透析液小分けチャンバＫ２の液面が規定に達した（すなわち、貯留した透析液が規定量に達した）ことを検出する液面センサＳ１と、補充液小分けチャンバＫ１の液面が規定に達した（すなわち、貯留した補充液が規定量に達した）ことを検出する液面センサＳ２とが配設されている。これにより、透析液小分けチャンバＫ２及び補充液小分けチャンバＫ１が満タン状態（透析液及び補充液が規定容量以上）となったことを検知することができる。
【００６１】
判定部５は、重量計４（残量検出部）の検出結果に基づいて、排液小分けチャンバの排液量が基準の残存量に到達したか否かを判定するもので、制御部６は、排出部を制御するものである。制御部６は、重量計４の計測値に基づいて、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８を含む各種アクチュエータを制御するもので、装置本体に取り付けられたマイコン等から成る。本実施形態に係る制御部６は、透析液小分けチャンバＫ２に貯留された透析液及び補充液小分けチャンバＫ１に貯留された補充液を規定量以上（満タン状態）とし、且つ、排液移送ポンプＰ７（排出部）により排液を排出させることにより、排液小分けチャンバＫ３に貯留された排液を規定量以下（初期化状態）とする初期化工程と、透析液小分けチャンバＫ２に貯留された透析液、補充液小分けチャンバＫ１に貯留された補充液、及び排液小分けチャンバＫ３に貯留された排液の重量を重量計４で計測する監視工程とを実行するよう構成されている。なお、排液小分けチャンバＫ３の初期化状態として、完全に空になる直前の状態が望ましいが、これに限らず、任意の規定量が設定され得る。
【００６２】
具体的には、監視工程において、透析液導入ポンプＰ２を駆動して透析液小分けチャンバＫ２に貯留された透析液をダイアライザ２に導入し、第１補液ポンプＰ３（必要に応じて第２補液ポンプＰ８）を駆動して補充液小分けチャンバＫ１に貯留された補充液を血液回路１に導入するとともに、排液排出ポンプＰ４を駆動してダイアライザ２からの排液を排液小分けチャンバＫ３に貯留させる。このとき、透析液移送ポンプＰ５、補液移送ポンプＰ６及び排液移送ポンプＰ７は停止した状態となっている。
【００６３】
そして、監視工程においては、重量計４によって、透析液小分けチャンバＫ２、補充液小分けチャンバＫ１及び排液小分けチャンバＫ３に貯留された透析液、補充液及び排液の重量バランスをリアルタイムで検出して監視し得るようになっている。しかして、重量計４の計測値に応じて、透析液導入ポンプＰ２、第１補液ポンプＰ３（第２補液ポンプＰ８）及び排液排出ポンプＰ４の駆動を制御することにより、透析液、補充液及び排液の重量バランスを所望な状態とすることができ、正常な治療を行わせることができる。
【００６４】
上記監視工程において、透析液導入ポンプＰ２、第１補液ポンプＰ３（必要に応じて第２補液ポンプＰ８）及び排液排出ポンプＰ４による流量の積算値（累積）が所定量に達し、透析液小分けチャンバＫ２及び補充液小分けチャンバＫ１が初期化状態（規定値以下）となり、排液小分けチャンバＫ３が満タン状態（規定値以上）となったことを検出すると、初期化工程に移行する。
【００６５】
初期化工程においては、透析液導入ポンプＰ２、第１補液ポンプＰ３（必要に応じて第２補液ポンプＰ８）及び排液排出ポンプＰ４の駆動を維持しつつ、透析液移送ポンプＰ５、補液移送ポンプＰ６及び排液移送ポンプＰ７を駆動させる。これにより、透析液移送ポンプＰ５の駆動によって透析液収容バッグＢ１から透析液小分けチャンバＫ２に透析液が補充されて貯留され、補液移送ポンプＰ６の駆動によって補充液収容バッグＢ２から補充液小分けチャンバＫ１に補充液が補充されて貯留されるとともに、排液移送ポンプＰ７の駆動によって排液小分けチャンバＫ３に貯留された排液が装置外部に排出される。
【００６６】
なお、透析液導入ポンプＰ２、第１補液ポンプＰ３及び排液排出ポンプＰ４の駆動をいったん停止した後、透析液移送ポンプＰ５、補液移送ポンプＰ６及び排液移送ポンプＰ７を駆動して初期化処理を行うようにしてもよい。これにより、初期化処理における排液量の把握を容易に行わせることができる。
【００６７】
そして、液面センサＳ１、Ｓ２にて透析液小分けチャンバＫ２及び補充液小分けチャンバＫ１の液面を検知することによって、これら透析液小分けチャンバＫ２及び補充液小分けチャンバＫ１で貯留された透析液及び補充液が規定量に達したことを検出することができる。このとき、排液小分けチャンバＫ３の液面を検知する液面センサが配設されていないので、当該排液小分けチャンバＫ３が初期化状態（規定量以下）となったことを直接検出することはできない。
【００６８】
そこで、本実施形態においては、初期化工程時、液面センサＳ１、Ｓ２にて透析液及び補充液が規定量に達したことを検知し、透析液及び補充液が規定量（満タンの状態）に達した状態となったことが検出されると、重量計４にて計測された透析液小分けチャンバＫ２、補充液小分けチャンバＫ１及び排液小分けチャンバＫ３の透析液、補充液及び排液の総重量（重量計４の計測値）が規定値以下（初期化状態）となったことを条件として、排液移送ポンプＰ７（排出部）による排液の排出を終了させて監視工程に移行するようになっている。
【００６９】
これにより、排液小分けチャンバＫ３の液面を検知する液面センサを具備しなくても、排液小分けチャンバＫ３が初期化状態（規定値以下）になった時点で排液の排出を終了させることができるので、排液の排出量が不足したり、或いは初期化状態から更に排液移送ポンプＰ７を駆動させて第１排液排出ラインＬ３ａや第２排液排出ラインＬ３ｂまで液面が下がり、空気が混入してしまうのを回避することができる。
【００７０】
さらに、制御部６は、初期化工程時、上記条件に加え、排液移送ポンプＰ７（排出部）による流量の積算値（ロータの回転数）が、前回実行された監視工程における排液排出ポンプＰ７による流量の積算値（ロータの回転数）に達したことを条件として監視工程に移行するようにしてもよい。この場合、排液小分けチャンバＫ３の排液をより正確に排出させることができる。
【００７１】
次に、本実施形態に係る制御部６による初期化工程の制御について、図６のフローチャート及び図７のタイミングチャートに基づいて説明する。
初期化工程が開始（図７のＴ１の時点）されると、透析液導入ポンプＰ２、第１補液ポンプＰ３（必要に応じて第２補液ポンプＰ８）及び排液排出ポンプＰ４の駆動を維持しつつ、透析液移送ポンプＰ５、補液移送ポンプＰ６及び排液移送ポンプＰ７を駆動させる（Ｓ１）。これにより、透析液収容バッグＢ１から透析液小分けチャンバＫ２に透析液が補充されて貯留され、補充液収容バッグＢ２から補充液小分けチャンバＫ１に補充液が補充されて貯留される（充填動作）とともに、排液移送ポンプＰ７の駆動によって排液小分けチャンバＫ３に貯留された排液が装置外部に排出される（排液動作）。
【００７２】
かかる初期化工程においては、透析液導入ポンプＰ２、第１補液ポンプＰ３（必要に応じて第２補液ポンプＰ８）及び排液排出ポンプＰ４が駆動しているので、上記充填動作及び排出動作と併せて、ダイアライザ２に対する透析液の導入、血液回路１に対する補充液の導入、及びダイアライザ２からの排液の排出が行われ、血液浄化治療が継続して行われることとなる。
【００７３】
そして、Ｓ２にて、液面センサＳ１、Ｓ２にて透析液小分けチャンバＫ２及び補充液小分けチャンバＫ１の液面が検知されたか否か（透析液及び補充液が規定量に達して満タンの状態になったか否か）が判定され、液面が検知されたと判定されると、Ｓ３に進み、透析液移送ポンプＰ５及び補液移送ポンプＰ６を停止させて充填動作を終了させる（図７のＴ２の時点）。その後、Ｓ４にて、重量計４にて計測された透析液小分けチャンバＫ２、補充液小分けチャンバＫ１及び排液小分けチャンバＫ３の透析液、補充液及び排液の総重量（重量計４の計測値）が規定値未満（初期化状態）に達したか否かが判定され、規定値未満に達したと判定されると、Ｓ５に進み、排液移送ポンプＰ７を停止させて排液動作を終了させ（図７のＴ３の時点）、Ｓ６にて監視工程へ以降させる。
【００７４】
次に、本実施形態に係る制御部６による監視工程の制御について、図８のフローチャート及び図７のタイミングチャートに基づいて説明する。
監視工程が開始（図７のＴ３の時点）されると、透析液導入ポンプＰ２、第１補液ポンプＰ３（必要に応じて第２補液ポンプＰ８）及び排液排出ポンプＰ４が引き続き駆動されるとともに、透析液移送ポンプＰ５、補液移送ポンプＰ６及び排液移送ポンプＰ７の停止状態が維持される。
【００７５】
この状態においては、透析液小分けチャンバＫ２及び補充液小分けチャンバＫ１に対する充填動作、並びに排液小分けチャンバＫ３の排液動作が停止された状態が維持されるとともに、ダイアライザ２に対する透析液の導入、血液回路１に対する補充液の導入、及びダイアライザ２からの排液の排出が行われ、血液浄化治療が継続して行われることとなる。そして、Ｓ１にて、透析液導入ポンプＰ２、第１補液ポンプＰ３（必要に応じて第２補液ポンプＰ８）及び排液排出ポンプＰ４の駆動量（ロータの回転数の積算値）が規定値（すなわち、透析液小分けチャンバＫ２及び補充液小分けチャンバＫ１を満タンの状態とする規定量）に達したか否かが判定され、規定値に達したと判定されると、Ｓ２に進み、初期化工程に移行することとなる。
【００７６】
本実施形態によれば、排液小分けチャンバＫ３が貯留する排液を規定の残存量まで装置外部に排出する初期化工程を実行し、排液小分けチャンバＫ３の排液量が基準の残存量に到達したと判定部５が判定するとき、初期化工程を終了するので、初期化工程に伴って排液小分けチャンバに空気が混入することを抑制できる。
【００７７】
また、排液小分けチャンバＫ３が貯留する排液量を重量計４（残量検出部）によって監視する監視工程を更に実行し、排液小分けチャンバＫ３の排液量が基準の残存量に到達したと判定部５が判定するとき、初期化工程から監視工程に移行するので、初期化工程から監視工程に円滑に移行することができる。さらに、本実施形態に係る制御部６は、初期化工程と監視工程を交互に繰り返すので、初期化工程と監視工程とを円滑に繰り返すことができる。
【００７８】
またさらに、判定部５は、初期化工程において、供給液小分けチャンバ（補充液小分けチャンバＫ１、透析液小分けチャンバＫ２）に対して供給液量（補液量、透析液量）の充填が停止している状態で、重量計４の計測結果に基づいて、排液小分けチャンバＫ３の排液量が基準の残存量に到達したか否かを判定するので、初期化工程時、排液小分けチャンバＫ３が初期化状態となったことを正確に把握することができる。
【００７９】
さらに、残量検出部は、供給液小分けチャンバが貯留する供給液の液面を検知する液面センサ（Ｓ１、Ｓ２）を更に備え、判定部５は、初期化工程において、液面センサ（Ｓ１、Ｓ２）の検知結果に基づいて、供給液小分けチャンバの供給液が基準の充填量に到達したか否かを判定し、制御部は、初期化工程において、供給液小分けチャンバ（補充液小分けチャンバＫ１、透析液小分けチャンバＫ２）の供給液が基準の充填量に到達したと判定部５が判定するとき、供給液小分けチャンバ（補充液小分けチャンバＫ１、透析液小分けチャンバＫ２）に対して供給液量の充填処理を停止するので、初期化工程時、透析液小分けチャンバＫ２及び補充液小分けチャンバＫ１の満タン状態を正確に把握することができ、且つ、排液小分けチャンバＫ３が初期化状態となったことを正確に把握することができる。
【００８０】
またさらに、供給液小分けチャンバ（Ｋ１、Ｋ２）が貯留する供給液が基準の充填量まで充填されたとき，供給液送液ポンプ（Ｐ５又はＰ６）を透析液導入ポンプＰ２もしくは第１補液ポンプＰ３と同程度の供給量となるよう制御することができる。この場合、判定部は、初期化工程において、供給液小分けチャンバ（Ｋ１、Ｋ２）の供給液が一定量に維持されているときに、重量計４の計測結果に基づいて、排液小分けチャンバＫ３の排液量が基準の残存量に到達したか否かを判定するので、供給液小分けチャンバ（Ｋ１、Ｋ２）に対して、供給液の流入量と流出量を同程度とすることで、供給液小分けチャンバ（Ｋ１、Ｋ２）の液位（液量）を一定に保つことができる。これにより、供給液小分けチャンバ（Ｋ１、Ｋ２）及び排液小分けチャンバＫ３の総重量を計測する重量計であっても、供給液小分けチャンバ（Ｋ１、Ｋ２）の重量変動要因を除き、排液小分けチャンバＫ３の残存量を把握することができる。
【００８１】
また、排出部は、排液小分けチャンバＫ３が貯留する排液を移送することによって装置外部に排出する排液移送ポンプＰ７であるので、初期化工程における排液小分けチャンバＫ３からの排液の排出を円滑に行わせることができるとともに、排液移送ポンプＰ７の流量を制御することにより、排液の排出に要する時間を任意に調整することができる。
【００８２】
またさらに、第１排液排出ラインＬ３ａに配設され、ダイアライザ２から排液小分けチャンバＫ３に透析液を送液する排液排出ポンプＰ４を更に備え、排出部は、排液小分けチャンバＫ３が貯留する排液を移送することによって装置外部に排出する排液移送ポンプＰ７であり、制御部６は、初期化工程において、排液移送ポンプＰ７による流量の積算値が、前回実行された監視工程における排液排出ポンプＰ４による流量の積算値に到達するとき、監視工程に移行するので、重量による条件と併せて、より精度よく排液小分けチャンバＫ３が初期化状態となったことを把握することができる。
【００８３】
また、排液移送ポンＰ７プは、排液の流路を構成する可撓性チューブをしごいて送液するしごき型ポンプであるので、別個のクランプ手段等を要することなく排液移送ポンプＰ７にて第２排液排出ラインＬ３ｂの閉止を行わせることができる。さらに、排出部は、排液小分けチャンバＫ３の下部から延設された第２排液排出ラインＬ３ｂに配設されたので、排液小分けチャンバＫ３の上部から別個の流路を延設させ、その流路に排液移送ポンプＰ７を配設したものに比べ、計測部の計測誤差を軽減させることができる。すなわち、排液小分けチャンバＫ３の上部に気体の流路を延設させ、排液移送ポンプＰ７にて空気を送り込むことで排液小分けチャンバＫ３の排液を装置外部に排出させることも考えられるが、その場合、当該排液移送ポンプＰ７の重量が重量計４の計測値に悪影響を及ぼして誤差が生じる虞があるので、本実施形態の如く排液小分けチャンバＫ３の下部から延設された第２排液排出ラインＬ３ｂに排液移送ポンプＰ７を配設すれば、重量計４による計測誤差を軽減できるのである。
【００８４】
以上、本実施形態について説明したが、本発明はこれらに限定されず、例えば図９に示すように、排液小分けチャンバＫ３の下部から連結ラインＬ３ｃを延設させ、その連結ラインＬ３ｃに第１排液排出ラインＬ３ａ及び第２排液排出ラインＬ３ｂを接続させるようにしてもよい。この場合、ダイアライザ２の排液は、第１排液排出ラインＬ３ａ及び連結ラインＬ３ｃを流通して排液小分けチャンバＫ３にて貯留されるとともに、排液小分けチャンバＫ３に貯留された排液は、連結ラインＬ３ｃ及び第２排液排出ラインＬ３ｂを流通して装置外部に排出されることとなる。
【００８５】
また、図１０に示すように、第２排液排出ラインＬ３ｂに配設され、排液小分けチャンバＫ３に貯留された排液を任意タイミングで装置外部に排出させる排出部は、制御部６にて開閉制御される電磁弁Ｖ３であってもよい。この場合、初期化工程時、電磁弁Ｖ３を開状態として排液を装置外部に排出させることにより、排液小分けチャンバＫ３に貯留された排液を規定量以下（初期化状態）とすることができる。なお、電磁弁Ｖ３に代えて、第２排液排出ラインＬ３ｂの流路を開閉可能な他のクランプ手段としてもよい。
【００８６】
加えて、本実施形態においては、単一の重量計４によって、透析液小分けチャンバＫ２、補充液小分けチャンバＫ１及び排液小分けチャンバＫ３の透析液、補充液及び排液の総重量を計測し、これらの重量バランスを検出して監視しているが、透析液小分けチャンバＫ２、補充液小分けチャンバＫ１及び排液小分けチャンバＫ３における透析液、補充液及び排液のそれぞれの重量を計測し得る重量計であってもよい。
【００８７】
ここで、重量計４に代えて、排液小分けチャンバＫ３の貯留量を計測する他の形態の計測部としてもよく、排液小分けチャンバＫ３の液面を検知する液面センサを具備するようにしてもよい。さらに、初期化工程において、透析液移送ポンプＰ５及び補液移送ポンプＰ６の流量の積算値（ロータの回転数の積算値）によって透析液及び補充液が規定量に達したことを検知（満タンの状態を検知）するようにしてもよい。この場合、液面センサＳ１、Ｓ２を不要とすることができる。なお、透析液収容バッグＢ１及び補充液収容バッグＢ２は、可撓性の容器にて構成されているが、これに代えて、硬質の容器や液槽等で構成された透析液収容部及び補充液収容部としてもよい。
【００８８】
加えて、排液小分けチャンバＫ３又は第２排液排出ラインＬ３ｂに液面センサ（光学式、静電容量式、超音波式など）を配設し、その液面センサによって排液小分けチャンバＫ３内が一定量以下の残量になったことを検出し、制御部による排出工程を終了させるようにしてもよい。この場合の制御内容について、図１１のフローチャートに基づいて説明する。排液工程が開始され、排液制御Ｓ１が行われた後、液面センサが空気を検出又は一定量以下の残量になったことを検出したか否か判定される（Ｓ２）。そして、液面センサが空気を検出又は一定量以下の残量になったことを検出するまで排液制御Ｓ１が行われるとともに、液面センサが空気を検出又は一定量以下の残量になったことを検出した場合、排液工程が終了する。
【００８９】
さらに加えて、容量式ポンプ（しごきポンプを含む）または流量計（渦流量計、超音波式流量計など）を第２排液排出ラインＬ３ｂに配設し、排液小分けチャンバＫ３から第２排液排出ラインＬ３ｂを介して装置外部に排液される排液量を算出し、第１排液排出ラインＬ３ａから排液小分けチャンバＫ３への排液流入量との差分から排液小分けチャンバＫ３内の排液の残量を検出し、当該残量が規定量以下になったことを判定して、制御部による排出工程を終了させるようにしてもよい。
【００９０】
この場合の制御内容について、図１２のフローチャートに基づいて説明する。排液工程が開始され、排液制御Ｓ１が行われた後、容量式ポンプまたは流量計により排液小分けチャンバＫ３内の残量を算出（Ｓ２）し、その算出された残量が規定量以下になったか否か判定される（Ｓ３）。そして、排液小分けチャンバＫ３内の残量が規定量になるまで排液制御Ｓ１が行われるとともに、当該残量が規定量以下になったと判定されると、排液工程が終了する。
【産業上の利用可能性】
【００９１】
排出部を制御することによって、排液小分けチャンバが貯留する排液を装置外部に排出する排出工程を実行し、排液小分けチャンバの排液量が基準の残存量に到達したと判定部が判定するとき、排出工程を終了する血液浄化装置であれば、他の機能が付加されたもの等であってもよい。
【符号の説明】
【００９２】
１  血液回路
１ａ  動脈側血液回路
１ｂ  静脈側血液回路
２  ダイアライザ（血液浄化器）
３  エアトラップチャンバ
４  重量計（残量検出部）（計測部）
５  判定部
６  制御部
７  加温バッグ
８  エアトラップチャンバ
Ｋ１  補充液小分けチャンバ（供給液小分けチャンバ）
Ｋ２  透析液小分けチャンバ（供給液小分けチャンバ）
Ｋ３  排液小分けチャンバ
Ｂ１  透析液収容バッグ（透析液収容部）（供給液収容部）
Ｂ２  補充液収容バッグ（補充液収容部）（供給液収容部）
Ｌ１ａ  第１透析液導入ライン（供給液導入ライン）
Ｌ１ｂ  第２透析液導入ライン
Ｌ２ａ  第１補液ライン
Ｌ２ｂ  第２補液ライン
Ｌ２ｃ  前補液ライン
Ｌ２ｄ  後補液ライン
Ｌ３ａ  第１排液排出ライン
Ｌ３ｂ  第２排液排出ライン
Ｐ１  血液ポンプ
Ｐ２  透析液導入ポンプ
Ｐ３  第１補液ポンプ
Ｐ４  排液排出ポンプ
Ｐ５  透析液移送ポンプ
Ｐ６  補液移送ポンプ
Ｐ７  排液移送ポンプ（排出部）
Ｐ８  第２補液ポンプ
Ｈ１  第１加温器
Ｈ２  第２加温器
Ｓ１、Ｓ２  液面センサ
Ｐａ、Ｐｂ  圧力センサ
Ｄ  取付部
Ｑ  支持部
【図１】
2020074988.tif 000003
【図２】
2020074988.tif 000004
【図３】
2020074988.tif 000005
【図４】
2020074988.tif 000006
【図５】
2020074988.tif 000007
【図６】
2020074988.tif 000008
【図７】
2020074988.tif 000009
【図８】
2020074988.tif 000010
【図９】
2020074988.tif 000011
【図１０】
2020074988.tif 000012
【図１１】
2020074988.tif 000013
【図１２】
2020074988.tif 000014